(57)【要約】【課題】飲料缶の缶蓋に形成された飲み口を更に拡開し、以て、飲用時、飲料缶を傾けた際に該飲料缶内の飲料を該飲み口からすべて流出させるようにするための飲料缶の飲み口拡開具を提供する。【解決手段】上側支持板２１と下側支持板２３とを平面視で同一方向になるように一端２１ａ、２３ａにて相互に固定し、該上側支持板は他端２１ｂが該下側支持板の他端２３ｂから離れる方向の弾性を有し、該下側支持板の他端には支軸２５を立設し、該支軸は該上側支持板の他端を挿通し、該支軸の上端には操作レバー２７の基端２７ａを回動自在に取り付け、該操作レバーの基端には作用点部２９を備えさせ、該上側支持板の前記他端には飲料缶に形成された飲み口の縁部を押圧する押圧部３１を形成し、該下側支持板の前記他端には飲料缶の上端突縁に係止する係止縁３５を備えさせた飲料缶の飲み口拡開具。【選択図】図１
0003158704.tif 000002
【実用新案登録請求の範囲】
【請求項１】
上側支持板と下側支持板とを平面視で同一方向になるように一端にて相互に固定し、該上側支持板は他端が該下側支持板の他端から離れる方向の弾性を有し、該下側支持板の他端には支軸を立設し、該支軸は該上側支持板の他端を挿通し、該支軸の上端には操作レバーの基端を回動自在に取り付け、該操作レバーの基端には作用点部を備えさせ、
該上側支持板の前記他端には飲料缶に形成された飲み口の縁部を押圧する押圧部を形成し、該下側支持板の前記他端には飲料缶の上端突縁に係止する係止縁を備えさせたことを特徴とする飲料缶の飲み口拡開具。
【請求項２】
前記上側支持板の押圧部は、下面が湾出していることを特徴とする請求項１に記載の飲料缶の飲み口拡開具。
【請求項３】
前記下側支持板の係止縁は、飲料缶の上端突縁に対応して湾曲していることを特徴とする請求項１又は２に記載の飲料缶の飲み口拡開具。
【考案の詳細な説明】
【技術分野】
【０００１】
本考案は、飲料缶の飲み口拡開具に関するものであり、更に詳しくは、ビール、酒、果実飲料、水、清涼飲料、乳清飲料等の飲料を収容する飲料缶における缶蓋にステイオンタブ等のタブを操作することにより形成された飲み口を更に拡開するための飲料缶の飲み口拡開具に係るものである。
【背景技術】
【０００２】
例えば特開平７−１７５４０号公報に示すように、缶蓋に備えさせたステイオンタブ等のタブを操作することにより、内容物たる飲料の飲み口を缶蓋に形成するようにした飲料缶（以下「従来の飲料缶」という。）は、従来より広く知られている。
【先行技術文献】
【特許文献】
【０００３】
【特許文献１】特開平７−１７５４０号公報
【考案の概要】
【考案が解決しようとする課題】
【０００４】
従来の飲料缶においては、飲料缶１の缶蓋３におけるパネル部５に備えさせたステイオンタブ等のタブ７を操作することにより、内容物たる飲料９の飲み口１１を缶蓋３のパネル部５に形成するようにしている。図９、図１０参照。図１０における符号１３に示すものは、飲み口１１としての開口部を形成すべく、タブ７により飲料缶１の内方に折曲された缶蓋３のパネル部５における飲み口対応部である。
【０００５】
しかるに、缶蓋３のパネル部５に形成された飲み口１１は、該パネル部５の周縁１５に接しているのではなく、常に、該飲み口１１と該パネル部５の周縁１５との間に残存平面部１７が存在する。図９参照。
【０００６】
したがって、タブ７を操作することにより飲料缶１の缶蓋３におけるパネル部５に飲み口１１を形成し、該飲料缶１を傾けて内容物たる飲料９を飲み口１１から飲用する際に、缶蓋３のパネル部５における残存平面部１７により一部の飲料９の流出が妨げられ、飲料９の一部が飲料缶１内に残ることになる。図１０参照。
【０００７】
飲料９の一部が飲用されることなく飲料缶１内に残ることは、不経済であると共に、飲用されることなく飲料缶１内に残存する飲料９がやがて劣化して悪臭を放ち、更には、飲料缶１を廃棄する際に該飲料缶１内に残存する飲料９が飲み口１１から流出して不衛生である。
【０００８】
本考案は、上記従来の飲料缶における上述の如き問題を解消し、飲料缶における缶蓋にステイオンタブ等のタブを操作することにより形成された飲み口を更に拡開し、以て、飲用時、飲料缶を傾けた際に該飲料缶内の飲料を該飲み口からすべて流出させるようにするための飲料缶の飲み口拡開具を提供しようとしてなされたものである。
【課題を解決するための手段】
【０００９】
上記課題を解決するために、本考案は、下記の如き飲料缶の飲み口拡開具を提供する。
【００１０】
（１）上側支持板と下側支持板とを平面視で同一方向になるように一端にて相互に固定し、該上側支持板は他端が該下側支持板の他端から離れる方向の弾性を有し、該下側支持板の他端には支軸を立設し、該支軸は該上側支持板の他端を挿通し、該支軸の上端には操作レバーの基端を回動自在に取り付け、該操作レバーの基端には作用点部を備えさせ、
該上側支持板の前記他端には飲料缶に形成された飲み口の縁部を押圧する押圧部を形成し、該下側支持板の前記他端には飲料缶の上端突縁に係止する係止縁を備えさせたことを特徴とする飲料缶の飲み口拡開具（請求項１）。
【００１１】
（２）前記上側支持板の押圧部は、下面が湾出している（請求項２）。
【００１２】
（３）前記下側支持板の係止縁は、飲料缶の上端突縁に対応して湾曲している（請求項３）。
【考案の効果】
【００１３】
［請求項１の考案］
下側支持板の係止縁を飲料缶の上端突縁に係止させると共に上側支持板の押圧部を飲料缶に形成された飲み口の縁部に係止させた状態で、操作レバーを上側支持板に接近する方向に回動させたときには、てこの原理により、上側支持板の作用点部が該上側支持板を該上側支持板の弾性に抗して下側支持板に接近する方向に強力に回動させる。したがって、上側支持板の押圧部は飲料缶における飲み口の縁部に連なる前記残存平面部１７をパネル部５から切り離し、飲料缶の側部方向に強力に押し曲げる。図７、図８参照。その結果、飲み口１１とパネル部５の周縁１５との間に存在していた残存平面部１７は解消し、該残存平面部１７が存在していた部分が新たに開口した拡開部１８（図８）となる。すなわち、飲用時、飲料缶を傾けた際に該飲料缶内の飲料を飲み口からすべて流出させることができる。
【００１４】
飲み口拡開具は、てこの原理を利用しているため、上述の如き飲み口の拡開作業は、小さな力で極めて容易、かつ、迅速に行うことができる。
【００１５】
［請求項２の考案］
上側支持板の押圧部は下面が湾出しているため、上側支持板の押圧部は飲料缶における飲み口の縁部に連なる残存平面部１７をパネル部５からより効果的に切り離し、残存平面部１７を飲料缶の側部方向により強力に押し曲げる。したがって、飲み口の拡開作業は、一層容易なものとなる。
【００１６】
［請求項３の考案］
下側支持板の係止縁は、飲料缶の上端突縁に対応して湾曲しているため、飲料缶の上端突縁により確実に係止させることができる。
【図面の簡単な説明】
【００１７】
【図１】図１は、本考案による飲み口拡開具の一例を示す断面図である。
【図２】図２は、図１のＩＩ−ＩＩ線における断面図である。
【図３】図３は、図１のＩＩＩ−ＩＩＩ線における断面図である。
【図４】図４は、同上飲み口拡開具において、操作レバーを上側支持板に接近する方向に回動させた状態を示す側面図である。
【図５】図５は、同上飲み口拡開具の平面図である。
【図６】図６は、同上飲み口拡開具において、操作レバーを回動させて上側支持板に当接させた状態を示す側面図である。
【図７】図７は、同上飲み口拡開具の使用状態を示す側面図である。
【図８】図８は、同上飲み口拡開具により拡開された飲み口を示す平面図である。
【図９】図９は、従来の飲料缶における飲み口を示す平面図である。
【図１０】図１０は、同上飲料缶を傾けた状態を示す断面図である。
【考案を実施するための形態】
【００１８】
以下、本考案について、添付図面を参照して説明するが、飲料缶１自体は上記従来のものと同じであるため、飲料缶１に関する説明は省略する。
【００１９】
符号２１に示すものは上側支持板、符号２３に示すものは下側支持板である。
【００２０】
上側支持板２１と下側支持板２３とを平面視で同一方向になるように一端２１ａ、２３ａにて相互に固定する。上側支持板２１は他端２１ｂが該下側支持板２３の他端２３ｂから離れる方向の弾性を有する。
【００２１】
下側支持板２３の他端２３ｂには支軸２５を立設し、該支軸２５は該上側支持板２１の他端２１ｂを挿通し、該支軸２５の上端２５ａには操作レバー２７の基端２７ａを軸２８を介して回動自在に取り付け、該操作レバー２７の基端２７ａには作用点部２９を備えさせる。操作レバー２７は、支軸２５に対し、水平方向及び上側支持板２１に接離する方向に回動自在である。
【００２２】
上側支持板２１の前記他端２１ｂには飲料缶１に形成された飲み口１１の縁部１１ａを押圧する押圧部３１を形成し、下側支持板２３の前記他端２３ｂには飲料缶１の上端突縁（周縁）３３に係止する係止縁３５を備えさせる。
【００２３】
上側支持板２１の前記他端２１ｂに形成した押圧部３１は、好ましくは、下面３１ａが湾出している。
【００２４】
下側支持板２３の前記他端２３ｂに備えさせた係止縁３５は、好ましくは、飲料缶１の上端突縁（周縁）３３に対応して湾曲している。
【００２５】
操作レバー２７は、図１に示す姿勢から支軸２５を回動中心として水平方向に１８０度回動させた後、軸２８を回動中心として上側支持板２１方向に回動させて上側支持板２１に当接させることができる。図６参照。このときは、飲み口拡開具全体がコンパクトな状態となる。
【符号の説明】
【００２６】
１  飲料缶
３  缶蓋
５  パネル部
７  タブ
９  飲料
１１  飲み口
１１ａ  縁部
１３  飲み口対応部
１５  周縁
１７  残存平面部
１８  新たに開口した拡開部
２１  上側支持板
２１ａ  一端
２１ｂ  他端
２３  下側支持板
２３ａ  一端
２３ｂ  他端
２５  支軸
２５ａ  上端
２７  操作レバー
２７ａ  基端
２８  軸
２９  作用点部
３１  押圧部
３１ａ  下面
３３  上端突縁
３５  係止縁
【図１】
0003158704.tif 000003
【図２】
0003158704.tif 000004
【図３】
0003158704.tif 000005
【図４】
0003158704.tif 000006
【図５】
0003158704.tif 000007
【図６】
0003158704.tif 000008
【図７】
0003158704.tif 000009
【図８】
0003158704.tif 000010
【図９】
0003158704.tif 000011
【図１０】
0003158704.tif 000012